(57)【要約】【課題】装置構成に要する費用が嵩んだり、装置が大型化することを防止し、変換周期を短縮する。【解決手段】Ａ／Ｄ変換装置１０の記憶部１２は、アナログ信号が入力される複数のチャンネルＣＨ１，…，ＣＨｎ毎に対応付けられた複数の基準電圧Ｖｒｅｆを予め記憶する。電圧選択部１３は、記憶部１２に記憶された複数の基準電圧Ｖｒｅｆの何れか１つを選択して基準電圧出力部１４から出力させ、全チャンネルＣＨ１，…，ＣＨｎのＡ／Ｄ変換が完了する毎に基準電圧Ｖｒｅｆの選択を変更して、全て基準電圧Ｖｒｅｆを順次出力させる。Ａ／Ｄ変換器１５は、全ての基準電圧Ｖｒｅｆと全チャンネルＣＨ１，…，ＣＨｎとの組み合わせ毎のデジタル信号のうち、予め記憶部１２に記憶された基準電圧Ｖｒｅｆと各チャンネルとの対応付けに等しい組み合わせのデジタル信号を出力する。【選択図】図１
2011211451.tif 000002
【特許請求の範囲】
【請求項１】
アナログ信号が入力される複数の入力手段と、
前記複数の入力手段毎に対応付けられた複数の基準電圧を記憶する記憶手段と、
前記記憶手段に記憶されている前記複数の基準電圧に等しい複数の入力電圧のうちから何れか１つの前記入力電圧を選択する電圧選択手段と、
前記電圧選択手段により選択された前記入力電圧を前記基準電圧として出力する基準電圧出力手段と、
全ての前記複数の入力手段のそれぞれを順次選択して、前記入力手段に入力された前記アナログ信号を、前記基準電圧出力部から出力された前記基準電圧を用いてデジタル信号に変換するＡ／Ｄ変換手段とを備え、
前記電圧選択手段は、前記Ａ／Ｄ変換手段により全ての前記複数の入力手段に対して前記アナログ信号から前記デジタル信号への変換が完了する毎に前記入力電圧の選択を変更することによって、全ての前記複数の入力電圧のそれぞれを順次選択し、
前記Ａ／Ｄ変換手段は、全ての前記複数の入力電圧のそれぞれと全ての前記複数の入力手段のそれぞれとの組み合わせ毎に対応する前記デジタル信号のうち、前記記憶手段に記憶された前記基準電圧と前記入力手段との対応付けに応じた前記デジタル信号を、全ての前記複数の入力手段のそれぞれに対して出力することを特徴とするＡ／Ｄ変換装置。
【請求項２】
前記記憶手段は前記Ａ／Ｄ変換手段に一体に接続されていることを特徴とする請求項１に記載のＡ／Ｄ変換装置。
【発明の詳細な説明】
【技術分野】
【０００１】
本発明は、Ａ／Ｄ変換装置に関する。
【背景技術】
【０００２】
従来、例えば１つの入力チャンネルに入力されるアナログ信号をデジタル信号に変換する際に、入力されるアナログ信号毎に自動的に基準電圧を調整することによって、ダイナミックレンジを調整するＡ／Ｄ変換装置が知られている（例えば、特許文献１参照）。
【先行技術文献】
【特許文献】
【０００３】
【特許文献１】特開平７−２２６６８３号公報
【発明の概要】
【発明が解決しようとする課題】
【０００４】
ところで、上記従来技術に係るＡ／Ｄ変換装置において、１つの入力チャンネルを複数の入力チャンネルに拡張すると、複数の入力チャンネル毎に複数の利得可変アンプおよび比較電圧生成抵抗とエンコーダとが必要になり、装置構成に要する費用が嵩むとともに装置が大型化してしまうという問題が生じる。
このような問題に対して、例えば複数の入力チャンネルのそれぞれを順次切り替えて選択するように設定し、基準電圧の変更および印加とアナログ信号からデジタル信号への変換とを複数の入力チャンネルで共通化された構成要素（回路など）で実行する場合には、各入力チャンネル毎に入力されるアナログ信号に応じて基準電圧が切り替えられてから実際に印加される電圧が安定するまでに要する時間が嵩むことによって、変換周期の短縮が困難になるという問題が生じる。
【０００５】
本発明は上記事情に鑑みてなされたもので、装置構成に要する費用が嵩んだり、装置が大型化することを防止し、変換周期を短縮することが可能なＡ／Ｄ変換装置を提供することを目的とする。
【課題を解決するための手段】
【０００６】
上記課題を解決して係る目的を達成するために、本発明の第１態様に係るＡ／Ｄ変換装置は、アナログ信号が入力される複数の入力手段（例えば、実施の形態での入力端子１１の複数のチャンネルＣＨ１，…，ＣＨｎ）と、前記複数の入力手段毎に対応付けられた複数の基準電圧（例えば、実施の形態での複数の基準電圧Ｖｒｅｆ）を記憶する記憶手段（例えば、実施の形態での記憶部１２）と、前記記憶手段に記憶されている前記複数の基準電圧に等しい複数の入力電圧（例えば、実施の形態での第１電圧Ｖ１，第２電圧Ｖ２）のうちから何れか１つの前記入力電圧を選択する電圧選択手段（例えば、実施の形態での電圧選択部１３）と、前記電圧選択手段により選択された前記入力電圧を前記基準電圧として出力する基準電圧出力手段（例えば、実施の形態での基準電圧出力部１４）と、全ての前記複数の入力手段のそれぞれを順次選択して、前記入力手段に入力された前記アナログ信号を、前記基準電圧出力部から出力された前記基準電圧を用いてデジタル信号に変換するＡ／Ｄ変換手段（例えば、実施の形態でのＡ／Ｄ変換器１５）とを備え、前記電圧選択手段は、前記Ａ／Ｄ変換手段により全ての前記複数の入力手段に対して前記アナログ信号から前記デジタル信号への変換が完了する毎に前記入力電圧の選択を変更することによって、全ての前記複数の入力電圧のそれぞれを順次選択し、前記Ａ／Ｄ変換手段は、全ての前記複数の入力電圧のそれぞれと全ての前記複数の入力手段のそれぞれとの組み合わせ毎に対応する前記デジタル信号のうち、前記記憶手段に記憶された前記基準電圧と前記入力手段との対応付けに応じた前記デジタル信号を、全ての前記複数の入力手段のそれぞれに対して出力する。
【０００７】
さらに、本発明の第２態様に係るＡ／Ｄ変換装置では、前記記憶手段は前記Ａ／Ｄ変換手段に一体に接続されている。
【発明の効果】
【０００８】
本発明の第１態様に係るＡ／Ｄ変換装置によれば、記憶されている複数の基準電圧に等しい複数の入力電圧のそれぞれが基準電圧として順次選択される毎に、全ての複数の入力手段に対してアナログ信号からデジタル信号への変換が行なわれる。そして、全ての複数の入力電圧（つまり、記憶されている全ての複数の基準電圧）のそれぞれと全ての複数の入力手段のそれぞれとの組み合わせ毎に対応するデジタル信号のうち、記憶手段に記憶された基準電圧と入力手段との対応付けに等しい組み合わせでのデジタル信号のみを、複数の入力手段のそれぞれに対して出力する。
【０００９】
これにより、例えば複数の入力手段毎に電圧選択手段や基準電圧出力手段やＡ／Ｄ変換手段を備える必要無しに、複数の入力手段で共通化された電圧選択手段および基準電圧出力手段およびＡ／Ｄ変換手段を備えるだけで、複数の入力手段に入力されたアナログ信号を適切な基準電圧で変換して得られるデジタル信号を出力することができ、装置構成に要する費用が嵩んだり、装置が大型化することを防止することができる。
しかも、例えば複数の入力手段同士間において、入力されるアナログ信号に対応する基準電圧に規則性が無い場合、つまり複数の入力手段と複数のアナログ信号との対応付けが任意に設定される場合であっても、基準電圧出力手段から出力される基準電圧が変更される回数を最小にすることができ、基準電圧が切り替えられてから実際に印加される電圧が安定するまでに要する時間の総時間が嵩むことを防止し、変換周期を短縮することができる。
【００１０】
さらに、本発明の第２態様に係るＡ／Ｄ変換装置によれば、記憶手段とＡ／Ｄ変換手段との間の各種の通信時間を短縮することができる。
【図面の簡単な説明】
【００１１】
【図１】本発明の実施の形態に係るＡ／Ｄ変換装置の構成図である。
【図２】本発明の実施の形態に係るＡ／Ｄ変換装置の動作を示すフローチャートである。
【図３】本発明の実施の形態の実施例に係る基準電圧の変化に対するタイミングチャートの例を示す図である。
【図４】本発明の実施の形態の比較例に係る基準電圧の変化に対するタイミングチャートの例を示す図である。
【発明を実施するための形態】
【００１２】
以下、本発明のＡ／Ｄ変換装置の一実施形態について添付図面を参照しながら説明する。
本実施の形態によるＡ／Ｄ変換装置１０は、例えば図１に示すように、アナログ信号が入力される複数のチャンネルＣＨ１，…，ＣＨｎを有する入力端子１１と、記憶部１２と、電圧選択部１３と、基準電圧出力部１４と、Ａ／Ｄ変換器１５とを備えて構成されている。
【００１３】
複数のチャンネルＣＨ１，…，ＣＨｎを有する入力端子１１は、各チャンネル毎に独立に外部からアナログ信号を取得可能であって、例えば複数の各種センサ２１から出力されるアナログ信号が入力されている。
【００１４】
記憶部１２は、入力端子１１の各チャンネルに入力される各アナログ信号のＡ／Ｄ変換で用いられる基準電圧Ｖｒｅｆを、各アナログ信号が入力される入力端子１１の各チャンネル毎に対応付けて記憶している。
なお、各チャンネル毎に対応付けられている基準電圧Ｖｒｅｆは、後述する電圧選択部１３により選択可能な複数の入力電圧の何れかと同一である。
【００１５】
電圧選択部１３は、例えばアナログスイッチなどを備え、外部から入力可能な複数の入力電圧（例えば図１に示す第１電圧Ｖ１，第２電圧Ｖ２など）のうち、記憶部１２において各チャンネル毎に対応付けて記憶している少なくとも１つ以上の全ての基準電圧Ｖｒｅｆに等しい入力電圧（例えば図１に示す第１電圧Ｖ１，第２電圧Ｖ２など）のうちから何れか１つを選択する。
そして、電圧選択部１３は、後述するＡ／Ｄ変換器１５により入力端子１１の全ての複数のチャンネルＣＨ１，…，ＣＨｎに対して同一の適宜の基準電圧Ｖｒｅｆを用いたＡ／Ｄ変換が完了する毎（つまり、後述する変換完了信号をＡ／Ｄ変換器１５から取得する毎）に、入力電圧の選択を変更することによって、記憶部１２に記憶している全ての基準電圧Ｖｒｅｆに等しい全ての入力電圧のそれぞれを順次選択する。
基準電圧出力部１４は、電圧選択部１３により選択された入力電圧を、後述するＡ／Ｄ変換器１５のＡ／Ｄ変換で用いられる基準電圧Ｖｒｅｆとして出力する。
【００１６】
Ａ／Ｄ変換器１５は、入力端子１１の全ての複数のチャンネルＣＨ１，…，ＣＨｎのそれぞれを順次切り替えて選択し、基準電圧出力部１４から出力されている基準電圧Ｖｒｅｆを用いて、各チャンネル毎に入力されているアナログ信号のＡ／Ｄ変換を行なう。そして、変換結果のデジタル信号を、各チャンネル毎に基準電圧Ｖｒｅｆと対応付けて記憶する。
【００１７】
さらに、Ａ／Ｄ変換器１５は、入力端子１１の全ての複数のチャンネルＣＨ１，…，ＣＨｎに対して同一の適宜の基準電圧Ｖｒｅｆを用いたＡ／Ｄ変換が完了する毎に、変換完了を示す変換完了信号を出力する。そして、この変換完了信号に応じて基準電圧出力部１４から出力される基準電圧Ｖｒｅｆが変更された後に、この変更後の基準電圧Ｖｒｅｆを用いて、再度、入力端子１１の全ての複数のチャンネルＣＨ１，…，ＣＨｎのそれぞれを順次切り替えて選択し、各チャンネル毎に入力されているアナログ信号のＡ／Ｄ変換を行ない、変換結果のデジタル信号を、各チャンネル毎に変更後の基準電圧Ｖｒｅｆと対応付けて記憶する。
そして、Ａ／Ｄ変換器１５は、各基準電圧Ｖｒｅｆ毎のＡ／Ｄ変換が完了したときに、電圧選択部１３が全ての入力電圧（つまり、記憶部１２において各チャンネル毎に対応付けて記憶している全て基準電圧Ｖｒｅｆに等しい全ての入力電圧）の選択を完了している場合には、所定の変換周期による１周期分のＡ／Ｄ変換の処理を終了する。
【００１８】
そして、Ａ／Ｄ変換器１５は、全ての入力電圧（つまり、記憶部１２において各チャンネル毎に対応付けて記憶している全て基準電圧Ｖｒｅｆに等しい全ての入力電圧）のそれぞれと入力端子１１の全ての複数のチャンネルＣＨ１，…，ＣＨｎのそれぞれとの組み合わせ毎に対応する変換結果のデジタル信号のうち、記憶部１２に記憶されている各チャンネルと基準電圧Ｖｒｅｆとの対応付けと等しい組み合わせでのデジタル信号を、全ての複数のチャンネルＣＨ１，…，ＣＨｎのそれぞれに対して出力する。
【００１９】
なお、Ａ／Ｄ変換器１５において、各基準電圧Ｖｒｅｆ毎にＡ／Ｄ変換が完了するタイミング（つまり、変換完了信号が出力されるタイミング）は、例えば、予め任意に設定される所定の変換周期や、１チャンネル当りのＡ／Ｄ変換の処理自体に要する最小の時間（例えば、１０μｓなど）や、入力端子１１の全ての複数のチャンネルＣＨ１，…，ＣＨｎからアナログ信号を取得するのに要する最小の時間（周期）や、基準電圧Ｖｒｅｆが変更される回数および基準電圧Ｖｒｅｆが安定状態となるのに要する所定の出力安定時間（例えば、２００μｓなど）などに応じたタイミングとなる。
例えば、所定の変換周期が１ｍｓに設定され、１０チャンネルの入力端子１１に対して２つの基準電圧ＶｒｅｆでＡ／Ｄ変換が実行される場合には、１チャンネル当りに４０μｓの処理時間となって、各基準電圧Ｖｒｅｆ毎に１０チャンネル分のＡ／Ｄ変換が完了するタイミングは４００μｓとなる。
【００２０】
この実施の形態によるＡ／Ｄ変換装置１０は上記構成を備えており、次に、このＡ／Ｄ変換装置１０の動作について説明する。
【００２１】
先ず、例えば図２に示すステップＳ０１においては、入力端子１１の複数のチャンネルＣＨ１，…，ＣＨｎに複数の各種センサ２１の出力端子（センサ出力）を接続して、各種センサ２１から出力されるアナログ信号を入力する。
次に、ステップＳ０２においては、入力端子１１の各チャンネルに入力される各アナログ信号のＡ／Ｄ変換で用いられる基準電圧Ｖｒｅｆを、各アナログ信号が入力される入力端子１１の各チャンネル毎に対応付けて記憶する。
【００２２】
次に、ステップＳ０３においては、外部から電圧選択部１３に入力可能な複数の入力電圧のうち、記憶部１２において各チャンネル毎に対応付けて記憶している全ての基準電圧Ｖｒｅｆに等しい入力電圧のうちから何れか１つを選択する。
次に、ステップＳ０４においては、選択した入力電圧を基準電圧Ｖｒｅｆとして基準電圧出力部１４から出力する。
【００２３】
次に、ステップＳ０５においては、基準電圧Ｖｒｅｆの出力開始から所定の出力安定時間（例えば、２００μｓなど）が経過したか否かを判定する。
この判定結果が「ＮＯ」の場合には、ステップＳ０５の判定の処理を繰り返し実行する。
一方、この判定結果が「ＹＥＳ」の場合には、ステップＳ０６に進む。
次に、ステップＳ０６においては、入力端子１１の全ての複数のチャンネルＣＨ１，…，ＣＨｎのそれぞれを順次切り替えて選択し、基準電圧出力部１４から出力されている基準電圧Ｖｒｅｆを用いて、各チャンネル毎に入力されているアナログ信号のＡ／Ｄ変換を行なう。そして、変換結果のデジタル信号を、各チャンネル毎に基準電圧Ｖｒｅｆと対応付けて記憶する。
【００２４】
次に、ステップＳ０７においては、Ａ／Ｄ変換の実行を停止する。
次に、ステップＳ０８においては、全ての入力電圧（つまり、記憶部１２において各チャンネル毎に対応付けて記憶している全て基準電圧Ｖｒｅｆに等しい全ての入力電圧）の選択を完了しているか否かを判定する。
この判定結果が「ＹＥＳ」の場合には、後述するステップＳ１０に進む。
一方、この判定結果が「ＮＯ」の場合には、ステップＳ０９に進む。
【００２５】
次に、ステップＳ０９においては、電圧選択部１３での入力電圧の選択を変更して、上述したステップＳ０４に戻る。
また、ステップＳ１０においては、全ての入力電圧（つまり、記憶部１２において各チャンネル毎に対応付けて記憶している全て基準電圧Ｖｒｅｆに等しい全ての入力電圧）のそれぞれと入力端子１１の全ての複数のチャンネルＣＨ１，…，ＣＨｎのそれぞれとの組み合わせ毎に対応する変換結果のデジタル信号のうち、記憶部１２に記憶されている各チャンネルと基準電圧Ｖｒｅｆとの対応付けと等しい組み合わせでのデジタル信号を、全ての複数のチャンネルＣＨ１，…，ＣＨｎのそれぞれに対して出力し、エンドに進む。
【００２６】
以下に、この実施の形態によるＡ／Ｄ変換装置１０の動作の実施例と、この実施例に対する比較例とについて説明する。
これらの実施例および比較例では、例えば、複数の各種センサ２１から出力されるアナログ信号に対して、第１電圧Ｖ１または第２電圧Ｖ２が基準電圧Ｖｒｅｆとされている。そして、複数の各種センサ２１と入力端子１１の複数のチャンネルＣＨ１，…，ＣＨｎとが任意に接続された結果として、各チャンネルＣＨ３，ＣＨ５〜ＣＨ７，…には第１電圧Ｖ１が基準電圧Ｖｒｅｆとして対応付けられ、各チャンネルＣＨ１，ＣＨ２，ＣＨ４，ＣＨ８，ＣＨ９，…には第２電圧Ｖ２が基準電圧Ｖｒｅｆとして対応付けられて記憶部１２に記憶されている。
【００２７】
先ず、例えば図３に示す実施例では、記憶部１２を参照して、各チャンネル毎に対応付けて記憶されている全ての基準電圧Ｖｒｅｆを取得し、これらの全ての基準電圧Ｖｒｅｆのそれぞれを順次切り替えて基準電圧出力部１４から出力させる毎に、入力端子１１の全ての複数のチャンネルＣＨ１，…，ＣＨｎのそれぞれを順次切り替えてＡ／Ｄ変換を実行する。そして、全ての基準電圧Ｖｒｅｆのそれぞれと全ての複数のチャンネルＣＨ１，…，ＣＨｎのそれぞれとの組み合わせのうちから、予め記憶部１２に記憶されている各チャンネルと基準電圧Ｖｒｅｆとの対応付けと等しい組み合わせの変換結果のみを抽出する。
【００２８】
例えば、時刻ｔ０において基準電圧Ｖｒｅｆとして第２電圧Ｖ２の出力が開始され、所定の出力安定時間（例えば、２００μｓなど）が経過した時刻ｔ１以後において、所定時間間隔の各時刻ｔａ１，…，ｔａｎにおいて入力端子１１の全ての複数のチャンネルＣＨ１，…，ＣＨｎのそれぞれが順次切り替えられてＡ／Ｄ変換が実行される。そして、このＡ／Ｄ変換の完了後の時刻ｔ２において基準電圧Ｖｒｅｆが変更されて第１電圧Ｖ１の出力が開始される。そして、この変更から所定の出力安定時間（例えば、２００μｓなど）が経過した時刻ｔ３以後において、所定時間間隔の各時刻ｔｂ１，…，ｔｂｎにおいて入力端子１１の全ての複数のチャンネルＣＨ１，…，ＣＨｎのそれぞれが順次切り替えられてＡ／Ｄ変換が実行される。
【００２９】
この実施例では、全ての基準電圧Ｖｒｅｆのそれぞれと全ての複数のチャンネルＣＨ１，…，ＣＨｎのそれぞれとの組み合わせに対するＡ／Ｄ変換が完了するのに要する時間（つまり変換周期）において、基準電圧Ｖｒｅｆが変更される回数を最小回数（つまり、予め各チャンネル毎に対応付けて記憶部１２に記憶されている全ての基準電圧Ｖｒｅｆの総数に等しい回数）にすることができる。このため、基準電圧Ｖｒｅｆが変更される毎に必要とされる所定の出力安定時間（例えば、２００μｓなど）が、各チャンネル毎のＡ／Ｄ変換に必要とされる処理時間（例えば、数十μｓなど）に比べて長い場合であっても、この出力安定時間に起因して変換周期が長くなってしまうことを防止することができる。
【００３０】
一方、例えば図４に示す比較例では、入力端子１１の全ての複数のチャンネルＣＨ１，…，ＣＨｎのそれぞれを順次切り替えて選択する毎に、記憶部１２を参照して、各チャンネル毎に対応付けて記憶されている基準電圧Ｖｒｅｆを基準電圧出力部１４から出力させてからＡ／Ｄ変換を実行する。
【００３１】
例えば、時刻ｔ０において基準電圧Ｖｒｅｆとして第２電圧Ｖ２の出力が開始され、所定の出力安定時間（例えば、２００μｓなど）が経過した時刻ｔ１以後において、この第２電圧Ｖ２が基準電圧Ｖｒｅｆとして対応付けられた各チャンネルＣＨ１，ＣＨ２のみのＡ／Ｄ変換が所定時間間隔の各時刻ｔａ１，ｔａ２において順次実行される。
そして、このＡ／Ｄ変換の完了後の時刻ｔ２において基準電圧Ｖｒｅｆが変更されて第１電圧Ｖ１の出力が開始される。
そして、この変更から所定の出力安定時間（例えば、２００μｓなど）が経過した時刻ｔ３以後において、この第２電圧Ｖ２が基準電圧Ｖｒｅｆとして対応付けられたチャンネルＣＨ３のみのＡ／Ｄ変換が時刻ｔａ３において実行される。
【００３２】
そして、このＡ／Ｄ変換の完了後の時刻ｔ４において基準電圧Ｖｒｅｆが変更されて第２電圧Ｖ２の出力が開始される。
そして、この変更から所定の出力安定時間（例えば、２００μｓなど）が経過した時刻ｔ５以後において、この第２電圧Ｖ２が基準電圧Ｖｒｅｆとして対応付けられたチャンネルＣＨ４のみのＡ／Ｄ変換が時刻ｔａ４において実行される。
そして、このＡ／Ｄ変換の完了後の時刻ｔ６において基準電圧Ｖｒｅｆが変更されて第１電圧Ｖ１の出力が開始される。
そして、この変更から所定の出力安定時間（例えば、２００μｓなど）が経過した時刻ｔ７以後において、この第１電圧Ｖ１が基準電圧Ｖｒｅｆとして対応付けられた各チャンネルＣＨ５〜７のみのＡ／Ｄ変換が所定時間間隔の各時刻ｔａ５〜ｔａ７において実行される。
【００３３】
そして、このＡ／Ｄ変換の完了後の時刻ｔ８において基準電圧Ｖｒｅｆが変更されて第２電圧Ｖ２の出力が開始される。
そして、この変更から所定の出力安定時間（例えば、２００μｓなど）が経過した時刻ｔ９以後において、この第２電圧Ｖ２が基準電圧Ｖｒｅｆとして対応付けられた各チャンネルＣＨ８，９のみのＡ／Ｄ変換が所定時間間隔の各時刻ｔａ８，ｔａ９において実行される。
以後、全ての複数のチャンネルＣＨ１，…，ＣＨｎのＡ／Ｄ変換が終了するまで処理が継続される。
【００３４】
この比較例では、予め記憶部１２に記憶されている各チャンネルと基準電圧Ｖｒｅｆとの対応付けの全てに対するＡ／Ｄ変換が完了するのに要する時間（つまり変換周期）において、基準電圧Ｖｒｅｆが変更される回数は、複数の各種センサ２１と入力端子１１の複数のチャンネルＣＨ１，…，ＣＨｎとの接続の組み合わせに応じて増減し、実施例よりも増大してしまう虞がある。
このため、基準電圧Ｖｒｅｆが変更される毎に必要とされる所定の出力安定時間（例えば、２００μｓなど）が、各チャンネル毎のＡ／Ｄ変換に必要とされる処理時間（例えば、数十μｓなど）に比べて長い場合には、この出力安定時間に起因して変換周期が長くなってしまい、変換周期の短縮が困難になるという問題が生じる。
【００３５】
上述したように、本実施の形態によるＡ／Ｄ変換装置１０によれば、記憶部１２に記憶されている複数の基準電圧Ｖｒｅｆに等しい複数の入力電圧のそれぞれが基準電圧Ｖｒｅｆとして順次選択される毎に、入力端子１１の全ての複数のチャンネルＣＨ１，…，ＣＨｎのそれぞれに対してアナログ信号からデジタル信号への変換が行なわれる。そして、全ての複数の入力電圧（つまり、記憶部１２に記憶されている全ての複数の基準電圧Ｖｒｅｆ）のそれぞれと入力端子１１の全ての複数のチャンネルＣＨ１，…，ＣＨｎのそれぞれとの組み合わせ毎に対応するデジタル信号のうち、予め記憶部１２に記憶された基準電圧Ｖｒｅｆと各チャンネルとの対応付けと等しい組み合わせでのデジタル信号のみを、全ての複数のチャンネルＣＨ１，…，ＣＨｎのそれぞれに対して出力する。
【００３６】
これにより、例えば複数のチャンネルＣＨ１，…，ＣＨｎ毎に独立に電圧選択部１３や基準電圧出力部１４やＡ／Ｄ変換器１５を備える必要無しに、複数のチャンネルＣＨ１，…，ＣＨｎで共通化された電圧選択部１３および基準電圧出力部１４およびＡ／Ｄ変換器１５を備えるだけで、複数のチャンネルＣＨ１，…，ＣＨｎに入力されたアナログ信号を適切な基準電圧Ｖｒｅｆで変換して得られるデジタル信号を出力することができ、装置構成に要する費用が嵩んだり、装置が大型化することを防止することができる。
【００３７】
しかも、例えば複数のチャンネルＣＨ１，…，ＣＨｎ同士間において、入力されるアナログ信号に対応する基準電圧Ｖｒｅｆに規則性が無い場合、つまり複数の各種センサ２１と複数のチャンネルＣＨ１，…，ＣＨｎとが任意の組み合わせで接続されることで、複数のチャンネルＣＨ１，…，ＣＨｎと複数のアナログ信号との対応付けが任意に設定される場合であっても、変換周期内で基準電圧出力部１４から出力される基準電圧Ｖｒｅｆが変更される回数を最小にすることができる。これにより、複数のチャンネルＣＨ１，…，ＣＨｎと複数のアナログ信号との対応付けによらずに、基準電圧Ｖｒｅｆが切り替えられてから実際に印加される電圧が安定するまでに要する出力安定時間の総時間が嵩むことを防止し、装置の汎用性および利便性を向上させつつ変換周期を短縮することができる。
【００３８】
なお、上述した実施の形態においては、記憶部１２とＡ／Ｄ変換器１５とは、一体的に直接に接続されているとしたが、これに限定されず、例えば記憶部１２とＡ／Ｄ変換器１５とが無線通信により接続されてもよい。
【００３９】
なお、上述した実施の形態において、電圧選択部１３は記憶部１２に記憶されている基準電圧Ｖｒｅｆに等しい入力電圧を選択するとしたが、これに限定されず、例えば記憶部１２を参照せずに、単に、複数の入力電圧のそれぞれを順次切り替えて選択してもよい。
【符号の説明】
【００４０】
１０  Ａ／Ｄ変換装置
１１  入力端子
１２  記憶部（記憶部手段）
１３  電圧選択部（電圧選択手段）
１４  基準電圧出力部（基準電圧出力手段）
１５  Ａ／Ｄ変換器（Ａ／Ｄ変換手段）
【図１】
2011211451.tif 000003
【図２】
2011211451.tif 000004
【図３】
2011211451.tif 000005
【図４】
2011211451.tif 000006